(57)【特許請求の範囲】
【請求項１】
窓部の外側より突出する突出板と、該突出板の外側に垂設した垂板を有する横桟に対して親綱又は単管を取外し可能に取付ける取付金具であって、
上下方向に配設される前板と、該前板の上端から後方へ折曲した上側係止板と、前記前板の下端から後方へ折曲した下側係止板と、前記上側係止板に上下方向に貫通して螺挿したボルトと、前記前板の外面に固設されて親綱又は単管を保持する保持部材とを有し、
前記下側係止板の後端に、上方へ折曲した後側係止板を設け、
前記前板を前記垂板の外側に配設し、前記下側係止板を前記垂板の下端に当接し、前記上側係止板を前記突出板の上側に配置するとともに、前記ボルトを前記突出板の上面に圧接するようにして、前記横桟に取付け、
前記前板に前後方向に貫通してボルトを螺挿したことを特徴とする取付金具。
【発明の詳細な説明】
【技術分野】
【０００１】
本発明は、建物の窓部における横桟に対して親綱又は単管を取外し可能に取付ける取付金具に関する。
【背景技術】
【０００２】
従来、建物の施工時等において、高所作業を行う場合には、作業者の転落防止のため、建物の躯体部材間に親綱を架設して、これに作業者に備えた安全帯を掛けるようにしている。
【発明の概要】
【発明が解決しようとする課題】
【０００３】
しかし、例えば、図７に示すような鋸屋根１０１においては、一般に工場の建屋として建てられるために、採光用の窓部１０２の背丈が高く、谷樋１０３から屋根の頂上までの高さが高い。そのため、親綱を架設してこれに安全帯をかけることができない。
【０００４】
また、鋸屋根の頂部間に架設された連結材１０４までの高さが高く、連結材１０４に親綱や安全帯を掛け外しすることは困難である。
【０００５】
そのため、鋸屋根において、作業者が谷樋上を歩行して作業する際に、親綱や安全帯が使用できなかった。
【０００６】
そこで、本発明は、窓部の横桟に親綱又は単管をを取付けることができる取付金具を提供することを目的とするものである。
【課題を解決するための手段】
【０００７】
前記課題を解決するために、請求項１記載の発明は、窓部の外側より突出する突出板と、該突出板の外側に垂設した垂板を有する横桟に対して親綱又は単管を取外し可能に取付ける取付金具であって、
上下方向に配設される前板と、該前板の上端から後方へ折曲した上側係止板と、前記前板の下端から後方へ折曲した下側係止板と、前記上側係止板に上下方向に貫通して螺挿したボルトと、前記前板の外面に固設されて親綱又は単管を保持する保持部材とを有し、
前記下側係止板の後端に、上方へ折曲した後側係止板を設け、
前記前板を前記垂板の外側に配設し、前記下側係止板を前記垂板の下端に当接し、前記上側係止板を前記突出板の上側に配置するとともに、前記ボルトを前記突出板の上面に圧接するようにして、前記横桟に取付け、
前記前板に前後方向に貫通してボルトを螺挿したことを特徴とするものである。
【発明の効果】
【０００９】
本発明によれば、取付金具を、窓部に配置される横桟に取外し可能に取付けできる。
【００１０】
そのため、例えば、鋸屋根の谷樋上において作業する際に、窓部の横桟に、取付金具を付設して、取付金具に親綱又は単管を保持させるとともにこれに安全帯を係合させて作業者の安全を確保することができる。
【００１１】
また、鋸屋根以外の建物においても、必要により窓部の横桟に取付金具を取り付けて安全を確保することができる。
【００１２】
また、取付金具の横桟に対する取付け及び取外し作業は、ボルトの締め付け、緩め操作で行え、その作業が容易に行える。
【図面の簡単な説明】
【００１３】
【図１】本発明の取付金具を、鋸屋根に使用した例を示す鋸屋根の側面図。
【図２】本発明の実施例を示す取付金具の斜視図。
【図３】図２に示す取付金具を窓部の横桟に取付けるとともに親綱を保持させた状態を示す斜視図。
【図４】図３の側断面図。
【図５】図３の状態において、親綱の代りに単管を取付けた状態を示す斜視図。
【図６】保持部材の他の例を示す側断面図。
【図７】従来技術を説明する鋸屋根の側面図。
【発明を実施するための形態】
【００１４】
本発明の実施例を図１乃至図６に基づいて説明する。
【００１５】
図１は、本発明の取付金具を、鋸屋根の横桟である窓中桟に取付けた使用状態を示す図で、鋸屋根１０１は、梁材１０５と、片流れ勾配の屋根部１０６と、屋根部１０６の頂上部から下方へ垂設した窓部１０２と、窓部１０２の上下方向の中間において水平に設けた横桟（窓中桟）１０８と、谷樋１０３等から構成されている。
【００１６】
横桟１０８は、図３及び図４に示すように、その横断面において、片流れ勾配を有する基板１０８ａと、基板１０８ａの表裏に設けたレール１０８ｂと、基板１０８ａの外側部、すなわち、窓部１０２より外側部に設けた水切り部１０８ｃを有する。水切り部１０８ｃは、レール部１０８ｂの外側より外方へ突出する突出板１０８ｄと、突出板１０８ｄの外側端から下方へ折曲して垂設した垂板１０８ｅとからなる。両レール部１０８ｂには採光用のガラス戸１０８ｆ等が設けられている。横桟１０８はスチール製の形材等で形成されている。
【００１７】
そして横桟１０８に本発明の取付金具１が取付けられる。
【００１８】
次に、取付金具１について図２乃至図４により詳述する。
【００１９】
なお、取付金具１において、図３及び図４のＡ側を上側、Ｂ側を下側、Ｃ側を前側、Ｄ側を後側、Ｅ側を左側、Ｆ側を右側とする。
【００２０】
取付金具１は、その取付状態において、上下方向に設けられて略垂直となる前板２を有し、前板２の上下方向の長さＨと左右方向の長さＷは所定の長さを有する。
【００２１】
前板２の上端には、前板２の上端を延長して後方へ折曲してなる上側係止板３を有する。上側係止板３は、突出板１０８ｄの傾斜に沿って傾斜している。
【００２２】
前板２の下端には、前板２を延長して後方へ折曲してなる下側係止板４を有し、更に、下側係止板４の後端には、下側係止板４を延長して上方へ折曲してなる後側係止板５を有する。
【００２３】
前記各板２〜５は、金属板で一体に形成され、上側係止板３と下側係止板４が相互に対向し、前板２と後側係止板５が相互に対向している。
【００２４】
また、上側係止板３と後側係止板５の上端は、上下方向において離間し、これらの間には、開口部６が形成されており、開口部６を通じて、横桟１０８の垂板１０８ｅを、取付金具１内へ挿入できるようになっている。
【００２５】
前記の構成により、取付金具１は、その内部に開口部６と左右方向Ｃ，Ｄが開口する空間７を有する。
【００２６】
取付金具１は、横桟１０８を上下方向において挟持する第１挟持手段１０と、横桟１０８を前後方向に挟持する第２挟持手段１１を有する。
【００２７】
第１挟持手段１０は、前記上側係止板３を上下方向に貫通するとともに上側係止板３に固設したナット１２に螺挿したボルト１３と、下側係止板４とからなる。ボルト１３には回転用のハンドル１３ａが設けられている。
【００２８】
第２挟持手段１１は、前板２を前後方向に貫通するとともに前板２に固設したナット１４に螺挿したボルト（六角ボルト）１５と、後側係止板５とからなる。
【００２９】
前板２の外面には、親綱１７を係合保持する保持部材１８が固設されており、保持部材１８は、挿通穴１８ａを有する無端状の環体で形成されている。
【００３０】
次に、取付金具１の使用について説明する。
【００３１】
先ず、取付金具の使用前においては、そのボルト１３を緩めて、ボルト１３の先端と後側係止板５の上端の間から垂板１０８ｅを挿入できるように、図４の状態より上方へ退避させるとともに、ボルト１５を緩めて、ボルト１５の先端と後側係止板５との間に垂板１０８ｅを挿入できるように、図４の状態より右方へ退避させておく。
【００３２】
次に、図１に示すように、作業者Ｐが谷樋１０３上において作業する際には、前記の状態の取付金具１を、横桟１０８の長手方向（左右方向）の所望の位置に取付ける。
【００３３】
この取付に際しては、まず、取付金具１を、その開口部６から横桟１０８の垂板１０８ｅを挿入するとともに、垂板１０８ｅをボルト１５と後側係止板５との間に挿入するようにして図４に示すように、横桟１０８の水切り部１０８ｃに嵌合する。
【００３４】
次に、ボルト１３を、そのハンドル１３ａを回転して締め付けて、ボルト１３の先端を突出板１０８ｄの上面に圧接する。ボルト１３の締め付けにより、横桟１０８の水切り部１０８ｃを形成する突出板１０８ｄと垂板１０８ｅが、図４に示すようにボルト１３の先端と下側係止板４とで上下方向において挟持される。なお、ボルト１５は、必要により締め付けるもので、予めボルト１５と後側係止板５との間隙を、垂板１０８ｅの板厚より若干大きく設定しておけば、ボルト１５の締め操作はしなくてもよい。また、このボルト１５の締め付けにより、横桟１０８の垂板１０８ｅが図４に示すように、ボルト１５の先端と、後側係止板５とで前後方向において挟持される。
【００３５】
上記の操作により、取付金具１は、横桟１０８の長手方向の所望の位置に固定される。なお、必要な数の取付金具１を横桟１０８の長手方向において適宜間隔を有して取付ける。
【００３６】
次に、１本の親綱１７を、取付金具１に固着した保持部材１８に挿通し、その両端を、他の取付金具１等に固定する。
【００３７】
そして、作業者に備えた安全帯１９を、その係止金具２０により親綱１７に取外し可能に係止させて谷樋上を歩行して作業する。
【００３８】
また、作業が終了した後は、前記と逆の操作で親綱１７及び取付金具１を横桟１０８から取外す。
【００３９】
以上の構成により、次のような効果を奏する。
【００４０】
例えば、鋸屋根の谷樋上で作業する場合において、取付金具１を作業者が谷樋上において容易に手が届く横桟１０８に取付け、取外すことができ、この取付金具１に親綱を付設し、親綱に安全帯を掛けて作業者の安全を確保することができる。そのため、鋸屋根において、その谷樋上を歩行する作業者の安全を確保することができる。
【００４１】
また、横桟１０８に対する取付金具１の取付け、取外し作業は、ボルトの締め付け、緩め作業で行え、取付金具１及び親綱１７の付設、撤去が容易に行え、また、ハンド付のボルトを使用することにより、ボルトの締め付け、緩め作業が容易になる。
【００４２】
なお、ボルト１３，１５は、Ｉボルト、万力ボルト、六角ボルトを適宜組み合わせて使用することができる。
【００４３】
［その他の実施例］
前記実施例は、取付金具を窓部の横桟である窓中桟に取付ける例を示したが、突出板１０８ｄと垂板１０８ｅを有する最上段の窓上桟や、最下段の窓下桟などの横桟にも本発明の取付金具１を取付けることができる。
【００４４】
また、本発明の取付金具１は、鋸屋根以外の窓部の横桟にも取付けることができる。
【００４５】
前記実施例は、保持部材１８に親綱１７を挿通するようにしたが、保持部材１８に、図５に示すように、単管２１を挿通し、単管２１に安全帯１９を係合保持するようにしてもよい。
【００４６】
なお、図５に示すように、保持部材１８にボルト２２を設け、挿通した単管２１をボルト２２で押し付けて固定するようになっている。
【００４７】
また、保持部材１８は、前記の構造に限らず、その他の構造のものでもよい。例えば、図６に示すような周知の単管クランプ３０を用いてもよい。
【００４８】
この単管クランプ３０は、図６に示すように、略半円状の基部３０ａと、略半円状の開閉部３０ｂを有し、夫々の一方の端部相互をピン３１で開閉可能に連結し、基部３０ａの他端部にはボルト３２を、ピン３３ににより起倒可能に設け、開閉部３０ｂの他端部には、ボルト３２が上方から嵌合する溝３４が形成されている。なお、前記基部３０は、前板２の外面に固着されている。
【００４９】
単管２１又は親綱を保持する場合には、開閉部３０ｂを開いた状態で、開閉部３０ｂと基部３０ａの間に単管２１又は親綱を上方より入れ、その後、開閉部３０ｂを閉じて、ボルト３２を倒して溝３４に入れ、その後、ボルト３２にナット３５を締めて、図６に示すように、単管２１又は親綱を挟持して保持する。
【００５０】
その他の構造は、前記実施例と同様である。
【００５１】
本実施例においても、前記実施例と同様の効果を発揮できる。
【符号の説明】
【００５２】
１  取付金具
２  前板
３  上側係止板
４  下側係止板
５  後側係止板
１３，１５  ボルト
１８，３０  保持部材
２１  単管
１０２  窓部
１０８  横桟
１０８ｄ  突出板
１０８ｅ  垂板
【図１】
0006661321.tif 000002
【図２】
0006661321.tif 000003
【図３】
0006661321.tif 000004
【図４】
0006661321.tif 000005
【図５】
0006661321.tif 000006
【図６】
0006661321.tif 000007
【図７】
0006661321.tif 000008